(57)【要約】      （修正有）【課題】時間方向の分散された一部の信号のみを用いて誤り訂正復号を行い、誤り訂正復号に係る時間を短縮し、効率よく信号を受信できる受信装置、受信方法、通信システム及び通信方法を提供する。【解決手段】ガードインターバルを受信信号から除去するＧＩ除去部３０２と、時間周波数変換するＦＦＴ部３０３と、チャネル推定を行い、周波数応答推定値を算出するチャネル推定部３０４と、伝搬路補償を行う伝搬路補償部３０５と、時間デインターリーブを行うデマッピング部３０６と、復調する復調部３０７と、誤り訂正復号を行う復号部３０８と、を備え、デマッピング部３０６は、送信される符号化ブロックに含まれるシンボル数よりも少ないシンボル数で前記時間デインターリーブを行う。【選択図】図３
2013042253.tif 000002
【特許請求の範囲】
【請求項１】
受信信号の干渉を回避するための一定の時間間隔であるガードインターバルを前記受信信号から除去するガードインターバル除去部と、
前記ガードインターバル除去部からの出力を時間周波数変換するＦＦＴ部と、
前記ＦＦＴ部からの出力に含まれる信号に基づきチャネル推定を行い、周波数応答推定値を算出するチャネル推定部と、
前記周波数応答推定値を用いて伝搬路補償を行う伝搬路補償部と、
前記伝搬路補償部の出力に対して時間デインターリーブを行うデマッピング部と、
前記デマッピング部からの出力を復調する復調部と、
前記デマッピング部及び前記復調部からの出力に対して誤り訂正復号を行う復号部と、  を備え、
前記デマッピング部は、送信される符号化ブロックに含まれるシンボル数よりも少ないシンボル数で前記時間デインターリーブを行うことを特徴とする受信装置。
【請求項２】
前記デマッピング部は、前記時間デインターリーブを行ったシンボルの情報を前記復号部に通知し、
前記復号部は、前記シンボルの情報に従ってデパンクチャリングを行い、該デパンクチャリング後に前記誤り訂正復号を行うことを特徴とする請求項１に記載の受信装置。
【請求項３】
前記デマッピング部は、受信品質が予め設定した閾値よりも高い場合、送信された前記符号化ブロックに含まれるシンボル数より少ないシンボル数で前記時間デインターリーブを行うことを特徴とする請求項１又は２に記載の受信装置。
【請求項４】
前記デマッピング部は、前記受信品質に応じて、前記時間デインターリーブを行うシンボル数を変更することを特徴とする請求項１から３のいずれか１項に記載の受信装置。
【請求項５】
前記デマッピング部は、所要通信品質に応じて、前記時間デインターリーブを行うシンボル数を変更することを特徴とする請求項１から３にいずれか１項に記載の受信装置。
【請求項６】
受信信号の干渉を回避するための一定の時間間隔であるガードインターバルを前記受信信号から除去するガードインターバル除去部と、
前記ガードインターバル除去部からの出力を時間周波数変換するＦＦＴ部と、
前記ＦＦＴ部の出力に含まれる信号に基づきチャネル推定を行い、周波数応答推定値及びインパルス応答推定値とを算出するチャネル推定部と、
前記周波数応答推定値を用いて伝搬路補償を行う伝搬路補償部と、
前記伝搬路補償部の出力に対して時間デインターリーブを行うデマッピング部と、
前記デマッピング部からの出力を復調する復調部と、
前記デマッピング部及び前記復調部からの出力に対して誤り訂正復号を行い、ビット判定値を求める復号部と、
前記ビット判定値及び前記インパルス応答推定値を用いて干渉信号のレプリカを生成するレプリカ生成部と、
前記受信信号から前記干渉信号のレプリカを減算する干渉除去部と、
を備え、
前記デマッピング部は、送信された符号化ブロックに含まれるシンボル数よりも少ないシンボル数で前記時間デインターリーブを行い、
前記レプリカ生成部は、更に、前記デマッピング部によって前記デインターリーブが行われたシンボルのビット判定値を用いて前記干渉信号のレプリカを生成することを特徴とする受信装置。
【請求項７】
複数の送信アンテナ及び受信アンテナを用いてＭＩＭＯ伝送方式に基づき通信を行う受信装置であって、
受信信号の干渉を回避するための一定の時間間隔であるガードインターバルを前記受信信号から除去するガードインターバル除去部と、
前記ガードインターバル除去部からの出力を時間周波数変換するＦＦＴ部と、
前記ＦＦＴ部の出力に含まれる信号に基づきチャネル推定を行い、周波数応答推定値を算出するチャネル推定部と、
前記周波数応答推定値を用いて伝搬路補償を行う伝搬路補償部と
前記伝搬路補償部の出力に対して時間デインターリーブを行うデマッピング部と、
前記デマッピング部からの出力を復調する復調部と、
前記復調部からの出力に対して誤り訂正復号を行い、ビット判定値を求める復号部と、
前記ビット判定値を用いて、ストリーム間干渉信号のレプリカを生成するレプリカ生成部と、
前記受信信号から前記ストリーム間干渉信号のレプリカを減算する干渉除去部と、
を備え、
前記デマッピング部は、送信される符号化ブロックに含まれるシンボル数よりも少ないシンボル数で前記時間デインターリーブを行うことを特徴とする受信装置。
【請求項８】
少なくとも１のストリームにおいて、時間デインターリーブが行われる際のシンボル数が、他のストリームにおけるシンボル数と異なるように前記デマッピング部が前記時間デインターリーブを行うことを特徴とする請求項７に記載の受信装置。
【請求項９】
受信信号の干渉を回避するための一定の時間間隔であるガードインターバルを前記受信信号から除去するガードインターバル除去ステップと、
前記ガードインターバル除去ステップでの出力を時間周波数変換するＦＦＴステップと、
前記ＦＦＴステップの出力に含まれる信号に基づきチャネル推定を行い、周波数応答推定値を算出するチャネル推定ステップと、
前記周波数応答推定値を用いて伝搬路補償を行う伝搬路補償ステップと、
前記伝搬路補償ステップでの出力に対して時間デインターリーブを行うデマッピングステップと、
前記デマッピングステップの出力を復調する復調ステップと、
前記デマッピングステップ及び前記復調ステップでの出力に対して誤り訂正復号を行う復号ステップと、
を備え、
前記デマッピングステップは、送信される符号化ブロックに含まれるシンボル数よりも少ないシンボル数で前記時間デインターリーブを行うステップを備えることを特徴とする受信方法。
【請求項１０】
送信装置及び受信装置を備え、送信ビットを送受信する通信システムであって、
前記送信装置は、
誤り訂正符号によって送信ビットが符号化され、符号化ビットを生成する符号化部と、
前記符号化ビットに対して変調を行い、変調シンボルを求める変調部と、
伝搬路を推定できるパイロットシンボルを生成するパイロット信号生成部と、
前記変調シンボル及び前記パイロットシンボルに対して周波数時間変換を行うＩＦＦＴ部と、
前記変調シンボルに対し時間インターリーブを行うマッピング部と、
前記ＩＦＦＴ部が出力した信号にガードインターバルを挿入するガードインターバル挿入部と、
ガードインターバル挿入部の出力をデジタル・アナログ変換し、無線周波数変換する無線送信部と、
を備え、
前記受信装置は、
前記ガードインターバルを受信信号から除去するガードインターバル除去部と、
前記ガードインターバル除去部からの出力を時間周波数変換するＦＦＴ部と、
前記ＦＦＴ部からの出力に含まれる信号に基づきチャネル推定を行い、周波数応答推定値を算出するチャネル推定部と、
前記周波数応答推定値を用いて伝搬路補償を行う伝搬路補償部と、
前記伝搬路補償部の出力に対して時間デインターリーブを行うデマッピング部と、
前記デマッピング部からの出力を復調する復調部と、
前記デマッピング部及び前記復調部からの出力に対して誤り訂正復号を行う復号部と、  を備え、
前記デマッピング部は、前記送信装置における前記マッピング部が行った前記時間インターリーブのサイズよりも少ないシンボル数で、前記時間デインターリーブを行い、
前記復号部は、前記デマッピング部で行った前記時間インターリーブに含まれなかったシンボルに関する情報に従ってデパンクチャリングを行い、該デパンクチャリング後に前記誤り訂正復号を行うことを特徴とする通信システム。
【請求項１１】
送信装置及び受信装置を備え、送信ビットを送受信する通信システムにおける通信方法であって、
前記送信装置は、
誤り訂正符号によって送信ビットが符号化され、符号化ビットを生成する符号化部と、
前記符号化ビットに対して変調を行い、変調シンボルを求める変調部と、
伝搬路を推定できるパイロットシンボルを生成するパイロット信号生成部と、
前記変調シンボル及び前記パイロットシンボルに対して周波数時間変換を行うＩＦＦＴ部と、
前記変調シンボルに対し時間インターリーブを行うマッピング部と、
前記ＩＦＦＴ部が出力した信号にガードインターバルを挿入するガードインターバル挿入部と、
前記ガードインターバル挿入部の出力をデジタル・アナログ変換し、無線周波数変換する無線送信部と、
を備え、
前記受信装置は、
前記ガードインターバルを受信信号から除去するガードインターバル除去部と、
前記ガードインターバル除去部からの出力を時間周波数変換するＦＦＴ部と、
前記ＦＦＴ部からの出力に含まれる信号に基づきチャネル推定を行い、周波数応答推定値を算出するチャネル推定部と、
前記周波数応答推定値を用いて伝搬路補償を行う伝搬路補償部と、
前記伝搬路補償部の出力に対して時間デインターリーブを行うデマッピング部と、
前記デマッピング部からの出力を復調する復調部と、
前記デマッピング部及び前記復調部からの出力に対して誤り訂正復号を行う復号部と、  を備え、
前記デマッピング部は、前記送信装置における前記マッピング部が行った前記時間インターリーブのサイズよりも少ないシンボル数で、前記時間デインターリーブを行い、
前記復号部は、前記デマッピング部で行った前記時間インターリーブに含まれなかったシンボルに関する情報に従ってデパンクチャリングを行い、該デパンクチャリング後に前記誤り訂正復号を行うことを特徴とする通信方法。
【発明の詳細な説明】
【技術分野】
【０００１】
本発明は、受信装置、受信方法、通信システム及び通信方法に関する。
【背景技術】
【０００２】
従来、地上デジタル放送の伝送方式としてＯＦＤＭ（Orthogonal Frequency Division Multiplexing： 直交周波数分割多重）が用いられる。地上デジタル放送の伝送路符号化方式により規定される放送データは、トランスポートストリームパケット複数個からなるデータのグループ単位（データセグメントとも記す、伝送路符号化を施す基本単位）で構成され、データセグメントに同期捕捉のためのパイロット信号を付加したＯＦＤＭブロック（ＯＦＤＭセグメントとも記す）を１３個組み合わせて送信される。
【０００３】
また、通信の信頼性を向上するために、畳込み符号化やターボ符号化等の誤り訂正符号化を行う。誤り訂正符号化を行う際には、バースト誤りが生じることを避けるため、符号化ビットや変調シンボルの並べ替えを行うインターリーブを行い、受信電界の変動が避けられない移動受信装置に対して伝送路符号化を可能にしている。
【０００４】
また、この方式では、伝送特性の異なる複数の階層を同時に伝送する階層伝送が可能である。各階層は、１つ又は複数のデータセグメントにより構成され、階層ごとにキャリア変調方式、内符号の符号化率及び時間インターリーブの長さ等のパラメータを指定することが可能である。
【０００５】
この地上デジタル放送の伝送路符号化において、隣接している変調後のシンボルデータを時間的に分散させることで、耐フェージング性能を確保するため時間インターリーブが行われる。階層伝送を行う場合には、階層情報の指定に沿って階層分割され、最大３系統の並列処理が行われる。
【０００６】
また、時間インターリーブの長さを階層単位で指定することにより、各階層毎に異なった伝送路、すなわち各階層毎に異なった受信形態を対象にしている場合、各伝送路に最適な時間インターリーブの長さを設定することを可能としている。階層合成された信号に対して、変調シンボル単位（Ｉ、Ｑ軸単位）で時間インターリーブが行われる。
【０００７】
例えば、非特許文献１には、移動受信装置が信号を受信する場合に生じる受信電界の時間的な変動によるバースト誤りを避けるため時間インターリーブを行い、耐フェージング性能を改善する技術が開示されている。
【先行技術文献】
【特許文献】
【０００８】
【非特許文献１】地上デジタルテレビジョン放送の伝送方式、ＡＲＩＢ、ＡＴＤＢ３１、１．７版
【発明の概要】
【発明が解決しようとする課題】
【０００９】
しかしながら、上記の非特許文献１では、時間インターリーブを施した場合、時間方向に並べ替えが行われているため、誤り訂正復号を行うためには、時間方向に分散された全ての信号を受信するまで待たなければならず、受信処理の効率が劣化するという課題がある。
【００１０】
本発明は、上述のごとき実情に鑑みてなされたもので、時間方向の分散された一部の信号のみを用いて誤り訂正復号を行い、誤り訂正復号に係る時間を短縮し、効率よく信号を受信できる受信装置、受信方法、通信システム及び通信方法を提供することを目的とするものである。
【課題を解決するための手段】
【００１１】
上述した課題を解決するために本発明に係る受信装置、受信方法、通信システム及び通信方法の各構成は、次の通りである。
【００１２】
本発明の受信装置は、受信信号の干渉を回避するための一定の時間間隔であるガードインターバルを前記受信信号から除去するガードインターバル除去部と、前記ガードインターバル除去部からの出力を時間周波数変換するＦＦＴ部と、前記ＦＦＴ部からの出力に含まれる信号に基づきチャネル推定を行い、周波数応答推定値を算出するチャネル推定部と、前記周波数応答推定値を用いて伝搬路補償を行う伝搬路補償部と、前記伝搬路補償部の出力に対して時間デインターリーブを行うデマッピング部と、前記デマッピング部からの出力を復調する復調部と、前記デマッピング部及び前記復調部からの出力に対して誤り訂正復号を行う復号部と、を備え、前記デマッピング部は、送信される符号化ブロックに含まれるシンボル数よりも少ないシンボル数で前記時間デインターリーブを行うことを特徴とするものである。
【００１３】
また、本発明の受信装置の前記デマッピング部は、前記時間デインターリーブを行ったシンボルの情報を前記復号部に通知し、前記復号部は、前記シンボルの情報に従ってデパンクチャリングを行い、前記デパンクチャリング後に前記誤り訂正復号を行うことを特徴とするものである。
【００１４】
また、本発明の受信装置の前記デマッピング部は、受信品質が予め設定した閾値よりも低い場合、送信された前記符号化ブロックに含まれるシンボル数より少ないシンボル数で前記時間デインターリーブを行うことを特徴とするものである。
【００１５】
また、本発明の受信装置の前記デマッピング部は、前記受信品質に応じて、又は対象となるサービスに応じて、前記時間デインターリーブを行うシンボル数を変更することを特徴とするものである。
【００１６】
また、本発明の受信装置は、受信信号の干渉を回避するための一定の時間間隔であるガードインターバルを前記受信信号から除去するガードインターバル除去部と、前記ガードインターバル除去部からの出力を時間周波数変換するＦＦＴ部と、前記ＦＦＴ部の出力に含まれる信号に基づきチャネル推定を行い、周波数応答推定値及びインパルス応答推定値とを算出するチャネル推定部と、前記周波数応答推定値を用いて伝搬路補償を行う伝搬路補償部と、前記伝搬路補償部の出力に対して時間デインターリーブを行うデマッピング部と、前記デマッピング部からの出力を復調する復調部と、前記デマッピング部及び前記復調部からの出力に対して誤り訂正復号を行い、ビット判定値を求める復号部と、前記ビット判定値及び前記インパルス応答推定値を用いて干渉信号のレプリカを生成するレプリカ生成部と、前記受信信号から前記干渉信号のレプリカを減算する干渉除去部と、を備え、前記デマッピング部は、送信された符号化ブロックに含まれるシンボル数よりも少ないシンボル数で前記時間デインターリーブを行い、前記レプリカ生成部は、更に、前記デマッピング部によって前記デインターリーブが行われたシンボルのビット判定値を用いて前記干渉信号のレプリカを生成することを特徴とするものである。
【００１７】
また、本発明の受信装置は、複数の送信アンテナ及び受信アンテナを用いてＭＩＭＯ伝送方式に基づき通信を行う受信装置であって、受信信号の干渉を回避するための一定の時間間隔であるガードインターバルを前記受信信号から除去するガードインターバル除去部と、前記ガードインターバル除去部からの出力を時間周波数変換するＦＦＴ部と、前記ＦＦＴ部の出力に含まれる信号に基づきチャネル推定を行い、周波数応答推定値を算出するチャネル推定部と、前記周波数応答推定値を用いて伝搬路補償を行う伝搬路補償部と、前記伝搬路補償部の出力に対して時間デインターリーブを行うデマッピング部と、前記デマッピング部からの出力を復調する復調部と、前記復調部からの出力に対して誤り訂正復号を行い、ビット判定値を求める復号部と、前記ビット判定値を用いて、ストリーム間干渉信号のレプリカを生成するレプリカ生成部と、前記受信信号から前記ストリーム間干渉信号のレプリカを減算する干渉除去部と、を備え、前記デマッピング部は、送信される符号化ブロックに含まれるシンボル数よりも少ないシンボル数で前記時間デインターリーブを行うことを特徴とするものである。
【００１８】
また、本発明の受信装置は、少なくとも１のストリームにおいて、時間デインターリーブが行われる際のシンボル数が、他のストリームにおけるシンボル数と異なるように前記デマッピング部が前記時間デインターリーブを行うことを特徴とするものである。
【００１９】
また、本発明の受信方法は、受信信号の干渉を回避するための一定の時間間隔であるガードインターバルを前記受信信号から除去するガードインターバル除去ステップと、前記ガードインターバル除去ステップでの出力を時間周波数変換するＦＦＴステップと、前記ＦＦＴステップの出力に含まれる信号に基づきチャネル推定を行い、周波数応答推定値を算出するチャネル推定ステップと、前記周波数応答推定値を用いて伝搬路補償を行う伝搬路補償ステップと、前記伝搬路補償ステップでの出力に対して時間デインターリーブを行うデマッピングステップと、前記デマッピングステップの出力を復調する復調ステップと、前記デマッピングステップ及び前記復調ステップでの出力に対して誤り訂正復号を行う復号ステップと、を備え、前記デマッピングステップは、送信される符号化ブロックに含まれるシンボル数よりも少ないシンボル数で前記時間デインターリーブを行うステップを備えることを特徴とするものである。
【００２０】
また、本発明の通信システムは、送信装置及び受信装置を備え、送信ビットを送受信する通信システムであって、前記送信装置は、誤り訂正符号によって送信ビットが符号化され、符号化ビットを生成する符号化部と、前記符号化ビットに対して変調を行い、変調シンボルを求める変調部と、伝搬路を推定できるパイロットシンボルを生成するパイロット信号生成部と、前記変調シンボル及び前記パイロットシンボルに対して周波数時間変換を行うＩＦＦＴ部と、前記変調シンボルに対し時間インターリーブを行うマッピング部と、前記ＩＦＦＴ部が出力した信号にガードインターバルを挿入するガードインターバル挿入部と、ガードインターバル挿入部の出力をデジタル・アナログ変換し、無線周波数変換する無線送信部と、を備え、前記受信装置は、前記ガードインターバルを受信信号から除去するガードインターバル除去部と、前記ガードインターバル除去部からの出力を時間周波数変換するＦＦＴ部と、前記ＦＦＴ部からの出力に含まれる信号に基づきチャネル推定を行い、周波数応答推定値を算出するチャネル推定部と、前記周波数応答推定値を用いて伝搬路補償を行う伝搬路補償部と、前記伝搬路補償部の出力に対して時間デインターリーブを行うデマッピング部と、前記デマッピング部からの出力を復調する復調部と、前記デマッピング部及び前記復調部からの出力に対して誤り訂正復号を行う復号部と、を備え、前記デマッピング部は、前記送信装置における前記マッピング部が行った前記時間インターリーブのサイズよりも少ないシンボル数で、前記時間デインターリーブを行い、前記復号部は、前記デマッピング部で行った前記時間インターリーブに含まれなかったシンボルに関する情報に従ってデパンクチャリングを行い、前記デパンクチャリング後に前記誤り訂正復号を行うことを特徴とするものである。
【００２１】
また、本発明の通信方法は、送信装置及び受信装置を備え、送信ビットを送受信する通信システムにおける通信方法であって、前記送信装置は、誤り訂正符号によって送信ビットが符号化され、符号化ビットを生成する符号化部と、前記符号化ビットに対して変調を行い、変調シンボルを求める変調部と、伝搬路を推定できるパイロットシンボルを生成するパイロット信号生成部と、前記変調シンボル及び前記パイロットシンボルに対して周波数時間変換を行うＩＦＦＴ部と、前記変調シンボルに対し時間インターリーブを行うマッピング部と、前記ＩＦＦＴ部が出力した信号にガードインターバルを挿入するガードインターバル挿入部と、ガードインターバル挿入部の出力をデジタル・アナログ変換し、無線周波数変換する無線送信部と、を備え、前記受信装置は、前記ガードインターバルを受信信号から除去するガードインターバル除去部と、前記ガードインターバル除去部からの出力を時間周波数変換するＦＦＴ部と、前記ＦＦＴ部からの出力に含まれる信号に基づきチャネル推定を行い、周波数応答推定値を算出するチャネル推定部と、前記周波数応答推定値を用いて伝搬路補償を行う伝搬路補償部と、前記伝搬路補償部の出力に対して時間デインターリーブを行うデマッピング部と、前記デマッピング部からの出力を復調する復調部と、前記デマッピング部及び前記復調部からの出力に対して誤り訂正復号を行う復号部と、を備え、前記デマッピング部は、前記送信装置における前記マッピング部が行った前記時間インターリーブのサイズよりも少ないシンボル数で、前記時間デインターリーブを行い、前記復号部は、前記デマッピング部で行った前記時間インターリーブに含まれなかったシンボルに関する情報に従ってデパンクチャリングを行い、前記デパンクチャリング後に前記誤り訂正復号を行うことを特徴とするものである。
【発明の効果】
【００２２】
本発明によれば、受信信号の干渉を回避するための一定の時間間隔であるガードインターバルを前記受信信号から除去するガードインターバル除去部と、前記ガードインターバル除去部からの出力を時間周波数変換するＦＦＴ部と、前記ＦＦＴ部からの出力に含まれる信号に基づきチャネル推定を行い、周波数応答推定値を算出するチャネル推定部と、前記周波数応答推定値を用いて伝搬路補償を行う伝搬路補償部と、前記伝搬路補償部の出力に対して時間デインターリーブを行うデマッピング部と、前記デマッピング部からの出力を復調する復調部と、前記デマッピング部及び前記復調部からの出力に対して誤り訂正復号を行う復号部と、を備え、前記デマッピング部は、送信される符号化ブロックに含まれるシンボル数よりも少ないシンボル数で前記時間デインターリーブを行うことで、時間デインターリーブにかかる時間を削減でき、効率良く受信を行うことができるという優れた効果を奏し得る。
【００２３】
本発明によれば、受信装置の前記デマッピング部は、前記時間デインターリーブを行ったシンボルの情報を前記復号部に通知し、前記復号部は、前記シンボルの情報に従ってデパンクチャリングを行い、前記デパンクチャリング後に前記誤り訂正復号を行うことで、時間方向に分散された一部の信号のみを用いて誤り訂正複合を行うことができるため、処理時間の短縮化を図ることができるという優れた効果を奏し得る。
【００２４】
本発明によれば、受信装置の前記デマッピング部は、受信品質が予め設定した閾値よりも低い場合、送信された前記符号化ブロックに含まれるシンボル数より少ないシンボル数で前記時間デインターリーブを行うことで、受信品質に対応して効率の良くデータを受信できるという優れた効果を奏し得る。
【００２５】
本発明によれば、受信装置の前記デマッピング部は、前記受信品質に応じて、又は対象となるサービスに応じて、前記時間デインターリーブを行うシンボル数を変更することで、ユーザの所望する受信品質やサービスに対応して受信処理を行うことができるという優れた効果を奏し得る。
【００２６】
本発明によれば、受信装置は、受信信号の干渉を回避するための一定の時間間隔であるガードインターバルを前記受信信号から除去するガードインターバル除去部と、前記ガードインターバル除去部からの出力を時間周波数変換するＦＦＴ部と、前記ＦＦＴ部の出力に含まれる信号に基づきチャネル推定を行い、周波数応答推定値及びインパルス応答推定値とを算出するチャネル推定部と、前記周波数応答推定値を用いて伝搬路補償を行う伝搬路補償部と、前記伝搬路補償部の出力に対して時間デインターリーブを行うデマッピング部と、前記デマッピング部からの出力を復調する復調部と、前記デマッピング部及び前記復調部からの出力に対して誤り訂正復号を行い、ビット判定値を求める復号部と、前記ビット判定値及び前記インパルス応答推定値を用いて干渉信号のレプリカを生成するレプリカ生成部と、前記受信信号から前記干渉信号のレプリカを減算する干渉除去部と、を備え、前記デマッピング部は、送信された符号化ブロックに含まれるシンボル数よりも少ないシンボル数で前記時間デインターリーブを行い、前記レプリカ生成部は、更に、前記デマッピング部によって前記デインターリーブが行われたシンボルのビット判定値を用いて前記干渉信号のレプリカを生成することで、受信した信号を効率よく抑制し、時間デインターリーブにかかる時間を削減でき、高速通信に効率の良く対応できるという優れた効果を奏し得る。
【００２７】
本発明によれば、受信装置は、複数の送信アンテナ及び受信アンテナを用いてＭＩＭＯ伝送方式に基づき通信を行う受信装置であって、受信信号の干渉を回避するための一定の時間間隔であるガードインターバルを前記受信信号から除去するガードインターバル除去部と、前記ガードインターバル除去部からの出力を時間周波数変換するＦＦＴ部と、前記ＦＦＴ部の出力に含まれる信号に基づきチャネル推定を行い、周波数応答推定値を算出するチャネル推定部と、前記周波数応答推定値を用いて伝搬路補償を行う伝搬路補償部と、前記伝搬路補償部の出力に対して時間デインターリーブを行うデマッピング部と、前記デマッピング部からの出力を復調する復調部と、前記復調部からの出力に対して誤り訂正復号を行い、ビット判定値を求める復号部と、前記ビット判定値を用いて、ストリーム間干渉信号のレプリカを生成するレプリカ生成部と、前記受信信号から前記ストリーム間干渉信号のレプリカを減算する干渉除去部と、を備え、前記デマッピング部は、送信される符号化ブロックに含まれるシンボル数よりも少ないシンボル数で前記時間デインターリーブを行うことで、マルチパス干渉の影響を抑制して時間デインターリーブにかかる時間を削減でき、効率の良くデータを受信できるという優れた効果を奏し得る。
【００２８】
本発明によれば、受信装置は、少なくとも１のストリームにおいて、時間デインターリーブが行われる際のシンボル数が、他のストリームにおけるシンボル数と異なるように前記デマッピング部が前記時間デインターリーブを行うことで、マルチパス干渉の影響を抑制することができるという優れた効果を奏し得る。
【００２９】
本発明によれば、受信方法は、受信信号の干渉を回避するための一定の時間間隔であるガードインターバルを前記受信信号から除去するガードインターバル除去ステップと、前記ガードインターバル除去ステップでの出力を時間周波数変換するＦＦＴステップと、前記ＦＦＴステップの出力に含まれる信号に基づきチャネル推定を行い、周波数応答推定値を算出するチャネル推定ステップと、前記周波数応答推定値を用いて伝搬路補償を行う伝搬路補償ステップと、前記伝搬路補償ステップでの出力に対して時間デインターリーブを行うデマッピングステップと、前記デマッピングステップの出力を復調する復調ステップと、前記デマッピングステップ及び前記復調ステップでの出力に対して誤り訂正復号を行う復号ステップと、を備え、前記デマッピングステップは、送信される符号化ブロックに含まれるシンボル数よりも少ないシンボル数で前記時間デインターリーブを行うステップを備えることで、時間方向に分散された一部の信号のみを用いて誤り訂正複合を行うことができるため、処理時間の短縮化を図ることができるという優れた効果を奏し得る。
【００３０】
本発明によれば、通信システムは、送信装置及び受信装置を備え、送信ビットを送受信する通信システムであって、前記送信装置は、誤り訂正符号によって送信ビットが符号化され、符号化ビットを生成する符号化部と、前記符号化ビットに対して変調を行い、変調シンボルを求める変調部と、伝搬路を推定できるパイロットシンボルを生成するパイロット信号生成部と、前記変調シンボル及び前記パイロットシンボルに対して周波数時間変換を行うＩＦＦＴ部と、前記変調シンボルに対し時間インターリーブを行うマッピング部と、前記ＩＦＦＴ部が出力した信号にガードインターバルを挿入するガードインターバル挿入部と、ガードインターバル挿入部の出力をデジタル・アナログ変換し、無線周波数変換する無線送信部と、を備え、前記受信装置は、前記ガードインターバルを受信信号から除去するガードインターバル除去部と、前記ガードインターバル除去部からの出力を時間周波数変換するＦＦＴ部と、前記ＦＦＴ部からの出力に含まれる信号に基づきチャネル推定を行い、周波数応答推定値を算出するチャネル推定部と、前記周波数応答推定値を用いて伝搬路補償を行う伝搬路補償部と、前記伝搬路補償部の出力に対して時間デインターリーブを行うデマッピング部と、前記デマッピング部からの出力を復調する復調部と、前記デマッピング部及び前記復調部からの出力に対して誤り訂正復号を行う復号部と、を備え、前記デマッピング部は、前記送信装置における前記マッピング部が行った前記時間インターリーブのサイズよりも少ないシンボル数で、前記時間デインターリーブを行い、前記復号部は、前記デマッピング部で行った前記時間インターリーブに含まれなかったシンボルに関する情報に従ってデパンクチャリングを行い、前記デパンクチャリング後に前記誤り訂正復号を行うことで、時間方向に分散された一部の信号のみを用いて誤り訂正複合を行うことができるため、処理時間の短縮化を図ることができるという優れた効果を奏し得る。
【００３１】
本発明によれば、通信方法は、送信装置及び受信装置を備え、送信ビットを送受信する通信システムにおける通信方法であって、前記送信装置は、誤り訂正符号によって送信ビットが符号化され、符号化ビットを生成する符号化部と、前記符号化ビットに対して変調を行い、変調シンボルを求める変調部と、伝搬路を推定できるパイロットシンボルを生成するパイロット信号生成部と、前記変調シンボル及び前記パイロットシンボルに対して周波数時間変換を行うＩＦＦＴ部と、前記変調シンボルに対し時間インターリーブを行うマッピング部と、前記ＩＦＦＴ部が出力した信号にガードインターバルを挿入するガードインターバル挿入部と、ガードインターバル挿入部の出力をデジタル・アナログ変換し、無線周波数変換する無線送信部と、を備え、前記受信装置は、前記ガードインターバルを受信信号から除去するガードインターバル除去部と、前記ガードインターバル除去部からの出力を時間周波数変換するＦＦＴ部と、前記ＦＦＴ部からの出力に含まれる信号に基づきチャネル推定を行い、周波数応答推定値を算出するチャネル推定部と、前記周波数応答推定値を用いて伝搬路補償を行う伝搬路補償部と、前記伝搬路補償部の出力に対して時間デインターリーブを行うデマッピング部と、前記デマッピング部からの出力を復調する復調部と、前記デマッピング部及び前記復調部からの出力に対して誤り訂正復号を行う復号部と、を備え、前記デマッピング部は、前記送信装置における前記マッピング部が行った前記時間インターリーブのサイズよりも少ないシンボル数で、前記時間デインターリーブを行い、前記復号部は、前記デマッピング部で行った前記時間インターリーブに含まれなかったシンボルに関する情報に従ってデパンクチャリングを行い、前記デパンクチャリング後に前記誤り訂正復号を行うことで、時間方向に分散された一部の信号のみを用いて誤り訂正複合を行うことができるため、処理時間の短縮化を図ることができるという優れた効果を奏し得る。
【図面の簡単な説明】
【００３２】
【図１】第１の実施形態に係る送信装置の構成を示すブロック図である。
【図２】第１の実施形態に係る時間インターリーブの概略を示す説明図である。
【図３】第１の実施形態に係る受信装置の構成を示すブロック図である。
【図４】第１の実施形態に係る受信装置における受信処理を示すフローチャートである。
【図５】第３の実施形態に係る受信装置の構成を示すブロック図である。
【図６】第３の実施形態に係る受信装置における受信処理を示すフローチャートである。
【図７】第４の実施形態に係る送信装置の構成を示すブロック図である。
【図８】第４の実施形態に係る受信装置の構成を示すブロック図である。
【図９】第４の実施形態に係る受信装置における受信処理を示すフローチャートである。
【発明を実施するための形態】
【００３３】
＜第１の実施形態＞
第１の実施形態による通信システムは、複数ユーザの信号が割当てられたＯＦＤＭＡ信号（マルチキャリア変調した信号）を送信する送信装置１と、送信装置１が送信した信号を受信する受信装置３とから構成される。例えば、送信装置１はセルラーシステムの下りリンクにおける基地局に設置することができ、受信装置３は基地局にリンクしている複数の移動端末のうちの１つの移動端末に搭載することができる。
【００３４】
図１は、本発明の第１の実施形態に係る送信装置１の構成を示すブロック図である。第１の実施形態に係る送信装置１は、図１に示すように、符号化部１０１、変調部１０２、パイロット信号生成部１０３、マッピング部１０４、ＩＦＦＴ部（Inverse Fast Fourier Transform：逆フーリエ変換）、ＧＩ挿入部１０６（Guard Interval：ガードインターバル)、無線送信部１０７及び送信アンテナ１０８で構成されている。
【００３５】
符号化部１０１は、受信装置３からの送信ビットに対して、ターボ符号、ＬＤＰＣ（Low Density Parity Check：低密度パリティ検査）、畳込み符号等のいずれかの誤り訂正符号化の処理を行う。すなわち、符号化部１０１では、畳込み符号やターボ符号等の誤り訂正符号によって送信ビットが符号化され、符号化ビットが生成される。尚、送信ビットとは圧縮符号化された音声信号、映像信号、その他のデータ信号を「０」、「１」で表した信号である。また、受信装置３が複数個在る場合には、異なる符号化ブロックで符号化することが可能である。
【００３６】
符号化部１０１で生成された符号化ビットは、変調部１０２において、ＢＰＳＫ（Binary Phase Shift Keying：２相位相偏移変調）、ＱＰＳＫ（Quadrature Phase Shift Keying：４相位相偏移変調）、１６ＱＡＭ（16 Quadrature Amplitude Modulation：１６値直交振幅変調）、６４ＱＡＭ（64 Quadrature Amplitude Modulation：６４値直交振幅変調）等の変調シンボルにマッピングされる。
【００３７】
パイロット信号生成部１０３は、受信装置３において伝搬路を推定できるパイロットシンボル（パイロット信号）を生成する。パイロットシンボルを構成する符号系列は、アダマール符号、ＣＡＺＡＣ（Constant Amplitude Zero Auto-Correlation）系列などの直交した系列であることが好ましい。
【００３８】
マッピング部１０４では、周波数選択性フェージングによる受信電力の落ち込みに起因するバースト誤りが生ずるのを改善するために、パイロット信号と変調シンボルを時間と周波数とによって定義されたリソースにマッピングする。ここでリソースとは、１つのＯＦＤＭシンボルと１つのサブキャリアとで定義する。マッピング部１０４では、変調シンボルを時間方向に分散し（すなわち、時間インターリーブを行い）配置する。
【００３９】
ＩＦＦＴ部１０５では、変調シンボルとパイロットシンボル（パイロット信号）とに対しＩＦＦＴ処理を行うことで、シンボルを周波数領域の信号から時間領域の信号に変換する。
【００４０】
ＧＩ挿入部１０６では、ＩＦＦＴ部１０５が変換した時間領域の信号にガードインターバル（ＧＩ）を挿入する。例えば、ＩＦＦＴ部１０５が出力する時間領域の信号（有効シンボル）の後半の一部をコピーし、有効シンボルの先頭に付加する。ＧＩを付加した有効シンボルをＯＦＤＭシンボルと称す。
【００４１】
無線送信部１０７は、ＧＩ挿入部１０６が出力するＯＦＤＭシンボルをアナログ信号に変換し（デジタル・アナログ変換）、アナログ信号に変換された信号に対して帯域制限を行うフィルタリング処理を行い、さらにフィルタリング処理された信号を送信可能な周波数帯域にアップコンバート（無線周波数変換）し、送信アンテナ１０８を介して送信する。
【００４２】
次に、マッピング部１０４における時間インターリーブの一例を説明する。図２に示すように、横軸は周波数Ｆ（サブキャリア）であり、縦軸は時間（ＯＦＤＭシンボル）である。
【００４３】
リソース数は、６個のＯＦＭＤシンボルと、１８個の変調シンボルで構成される。１符号化ブロックが１８個の変調シンボルで構成され、それぞれの変調シンボルをＳ１〜Ｓ１８で表わす場合、図２において、Ｓ１は参照番号１のリソースに配置され、Ｓ２は参照番号２のリソースに配置され、さらにＳ１８は参照番号１８のリソースに配置される。従って、１符号化ブロック内に異なる時間に割当られた変調シンボルが存在することになる。
【００４４】
次に、第１の実施形態に係る受信装置３を説明する。受信装置３は、図３に示すように、無線受信部３０１、ＧＩ除去部３０２、ＦＦＴ部３０３（Fast Fourier Transform：フーリエ変換）、チャネル推定部３０４、伝搬路補償部３０５、デマッピング部３０６、復調部３０７、復号部３０８及び受信アンテナ３０９で構成されている。受信装置３は、送信装置１が送信する信号を受信するための受信装置であり、例えば、移動端末に搭載されているものが挙げられる。
【００４５】
無線受信部３０１は、受信アンテナ３０９を介して送信装置１から送信された信号を受信すると、信号検出処理等のデジタル信号処理が可能な周波数帯へダウンコンバート（無線周波数変換）し、さらにスプリアスを除去するフィルタリング処理を行い、フィルタリング処理した信号をアナログ信号からデジタル信号に変換（アナログ・デジタル変換）を行って、ＧＩ除去部３０２に出力する。
【００４６】
ＧＩ除去部３０２は、遅延波による歪を回避するために送信装置１で付加されたガードインターバル（ＧＩ）を無線受信部３０１からの受信信号から除去する。
【００４７】
ＦＦＴ部３０３で、ＧＩ除去部３０２によりガードインターバルが除去された信号を時間領域信号から周波数領域信号に変換するフーリエ変換の処理（時間周波数変換）を行う。
【００４８】
チャネル推定部３０４は、送信装置１と受信装置３との間におけるフェージングなどによる振幅と位相の変動を推定するチャネル推定を行い、チャネル推定結果であるチャネル推定値（例えば、周波数応答推定値又はインパルス応答推定値）を伝搬路補償部３０５に出力する。例えば、無線受信部３０１が出力する信号に含まれる既知の信号であるパイロット信号（パイロットシンボル）を用いてチャネル推定を行い、受信した信号を周波数領域に変換した信号であって、パイロットシンボルを割り当てたサブキャリアの信号を用いて周波数応答推定値を算出する。尚、パイロットシンボルを配置したサブキャリア以外のサブキャリアの周波数応答推定値は、パイロットシンボルを配置したサブキャリアの周波数応答推定値を用いて、線形補間、ＦＦＴ補間などの補間技術により算出することができる。
【００４９】
伝搬路補償部３０５は、チャネル推定部３０４によるチャネル推定値（周波数応答推定値等）を用いてＺＦ（Zero Forcing：ゼロ  フォーシング）、ＭＭＳＥ（Minimum Mean Square Error：最小２乗誤差）等のアルゴリズムによりフェージングによる伝搬路歪を補正する重み係数を算出し、この重み係数をＦＦＴ部３０３からの周波数領域信号に乗算して伝搬路補償を行う。
【００５０】
デマッピング部３０６は、伝搬路補償部３０５が出力する信号に対して、シンボル数を削減した時間デインターリーブを行った後に復調部３０７に出力する。また、削減したシンボル数を示す情報は、復号部３０８に通知する。尚、時間デインターリーブは、送信元の送信装置１のマッピング部１０４が施したインターリーブのパターンに対応するビット配置の並べ替え、すなわちインターリーブのパターンの逆操作となるビット配置並べ替えの動作を示す。
【００５１】
デマッピング部３０６でのシンボル数を削減した時間デインターリーブを詳述する。上述のように、送信装置１のマッピング部１０４において時間インターリーブが施されているので、受信装置３のデマッピング部３０６では、時間デインターリーブを行う必要がある。従来、６０個のＯＦＤＭシンボルシンボルを受信しないと符号化ブロックを構成する信号が全て揃わないため、時間デインターリーブは行われない。しかしながら、符号化ブロックを構成する全ての信号が揃うまで待つ時間を設けることは、処理効率の低下につながる。例えば、受信電力や受信ＳＮＲ（Signal to Noise Power Ratio：信号対雑音電力比）等の受信品質が良好であれば、全ての信号が揃わなくとも誤り訂正復号によって所要の受信品質を満たすことが可能となる。
【００５２】
そこで、第１の実施形態では、受信品質が良好な場合、デマッピング部３０６は、符号化ブロックを構成する全ての信号が揃う前に時間デインターリーブを行う。また、揃わなかった信号数を示す情報を復号部３０８に通知する。
【００５３】
復調部３０７は、デマッピング部３０６の出力された信号に対して復調する処理を行い、軟判定値（符号化ビットＬＬＲ）を算出する。
【００５４】
復号部３０８は、デマッピング部３０６からの通知情報に基づき、デパンクチャリングを行い、デパンクチャリングを行った後、ターボ符号化、畳込み符号化などの誤り訂正符号化に対する誤り訂正復号を行う。尚、デパンクチャリングとは、送信装置１側で符号化率を制御するために行われたパンクチャリング（ビットの間引き）された位置に、受信装置３側でゼロ（０）を挿入することである。
【００５５】
図２を参照して、デマッピング部３０６の時間デインターリーブを説明する。例として、６０個のＯＦＤＭシンボルのうち、４０個のＯＦＤＭシンボルを受信したとき時間デインターリーブを行うものとする。この場合、送信された変調シンボルＳ１〜Ｓ１８のうち、変調シンボルＳ１〜Ｓ４，Ｓ７〜Ｓ１０、Ｓ１３〜Ｓ１６のみ受信されており、変調シンボルＳ１〜Ｓ４、Ｓ７〜Ｓ１０、Ｓ１３〜１６のみが復調部３０７で復調される。
【００５６】
さらに、復調部３０７において、符号化ビットＬＬＲ（Log Likelihood Ratio：対数尤度比）が求められる。また、復号部３０８では、デマッピング部３０６からの通知情報によって、変調シンボルＳ５、Ｓ６、Ｓ１１、Ｓ１２、Ｓ１７及びＳ１８は受信されていない旨の情報を得ているため、復調部３０７からの出力に対して通常のデパンクチャリングを行い、また、変調シンボルＳ５、Ｓ６、Ｓ１１、Ｓ１２、Ｓ１７及びＳ１８に関するデパンクチャリングも行った後、誤り訂正復号を行う。
【００５７】
このように第１の実施形態では、送信装置１が送信した符号化ブロックを構成する一部の信号を除いた信号で誤り訂正復号を行うようにするため、時間デインターリーブにかかる時間を削減でき、効率性の良い受信処理を行うことができる。
【００５８】
尚、所要の受信品質を満たしているか否かに関する判断として、符号化ブロックを構成する一部の信号が揃わなかったときの所要品質を満たす受信品質を予め測定しておき、この値を閾値として、所要の受信品質を満たしているか否かに基準としても良い。また、受信品質によって削減する信号数を可変することも可能である。この場合、各受信品質に対応した復号処理に用いるＯＦＤＭシンボル数のテーブルを、予め受信装置３に備え、受信品質に応じて変更する構成としても良い。
【００５９】
更に、誤り訂正復号に用いる信号数が変わるということは、符号化率が変わることになるため、符号化率の値（レートマッチング）に基づいたテーブルを予め受信装置３に備えさせ該テーブルを利用することができる。また、レートマッチングの符号化率とＯＦＤＭシンボルを削減した後の符号化率が一致しない場合は、近い値を採用する構成としても良い。
【００６０】
また、一部の信号を除いて誤り訂正復号を行った結果に誤りが検出された場合、送信された全ての信号を用いて再度、誤り訂正復号を行うことも可能である。尚、誤りを検出するためにＣＲＣ（Cyclic Redundancy Check：巡回冗長検査）を用いる。
【００６１】
また、第１の実施形態では時間インターリーブに固定パターンを用いて説明したが、本実施形態はこれに限定されず、ランダムインターリーブ等、時間方向に並べ替えが行われるものであれば適用が可能である。
【００６２】
尚、第１の実施形態に係る受信装置３において、伝搬路補償部３０５の後段に、デマッピング部３０６を配置したが、本発明はこれに限定されず、デマッピング部３０６の後段に伝搬路補償部３０５を配しても良い。単に、伝搬路補償後に時間デインターリーブを行うか時間デインターリーブを行った後に伝搬路補償を行うかの違いになる。
【００６３】
次に、受信装置３における受信方法を、図４に示すフローチャートを参照して説明する。
【００６４】
受信装置３の無線受信部３０１が、受信アンテナ３０９を介して送信装置１から送信された信号を受信すると、信号検出処理等のデジタル信号処理が可能な周波数帯へダウンコンバート（無線周波数変換）（ステップＳ４００）し、さらにスプリアスを除去するフィルタリング処理を行い、フィルタリング処理した信号をアナログ信号からデジタル信号に変換（アナログ・デジタル変換）を行う（ステップＳ４０５）。
【００６５】
次に、ＧＩ除去部３０２は、遅延波による歪を回避するために送信装置１で付加されたガードインターバル（ＧＩ）を無線受信部３０１からの受信信号から除去する（ステップ４１０）。
【００６６】
ＦＦＴ部３０３で、ＧＩ除去部３０２によりガードインターバルが除去された信号を時間領域信号から周波数領域信号に変換するフーリエ変換の処理（時間周波数変換）を行う（ステップ４２０）。
【００６７】
チャネル推定部３０４は、送信装置１と受信装置３との間におけるフェージングなどによる振幅と位相の変動を推定するチャネル推定を行い、チャネル推定結果であるチャネル推定値（例えば、周波数応答推定値）を伝搬路補償部３０５に出力する（ステップ４３０）。
【００６８】
伝搬路補償部３０５は、チャネル推定部３０４によるチャネル推定値（周波数応答推定値等）を用いてＺＦやＭＭＳＥ等のアルゴリズムによりフェージングによる伝搬路歪を補正する重み係数を算出し、この重み係数をＦＦＴ部３０３からの周波数領域信号に乗算して伝搬路補償を行う（ステップ４４０）。
【００６９】
デマッピング部３０６において、符号化ブロックを構成する全ての信号が揃う前に時間デインターリーブが行われる（ステップ４５０）。
【００７０】
復調部３０７は、デマッピング部３０６の出力された信号に対して復調する処理を行い、軟判定値（符号化ビットＬＬＲ）を算出する（ステップ４６０）。
【００７１】
復号部３０８は、デマッピング部３０６からの通知情報に基づき、デパンクチャリングを行い、デパンクチャリングを行った後、ターボ符号化、畳込み符号化などの誤り訂正符号化に対する誤り訂正復号を行う（ステップ４７０）。
【００７２】
尚、上記の第１の実施形態では、ＯＦＤＭを用いて説明したが、本発明はこれに限定されず、ＭＣ−ＣＤＭＡ（Multi Carrier-Code Division Multiple Access)又はＳＣ−ＦＤＭＡ(Single Carrier-Frequency Division Multiple Access)等のシングルキャリア伝送方式に適用が可能である。
【００７３】
＜第２の実施形態＞
第２の実施形態では、高速伝送に基づく通信において、サービス品質（ＱｏＳ：Quality of Service）や対象メディアに対応して伝送効率の改善を図ることができる受信装置３ｂを説明する。尚、第２の実施形態において、受信装置３ｂのデマッピング部３０６ｂ以外を除いて、その他の構成は、第１の実施形態と重複するため説明を省略する。
【００７４】
第１の実施形態では、受信装置３のデマッピング部３０６では、受信品質が良好な場合、受信品質により削減するシンボル数を選択し、符号化ブロックを構成する全ての信号が揃う前に時間デインターリーブが行われ、誤り訂正復号を行う構成としたが、第２の実施形態では、受信装置３ｂのデマッピング部３０６ｂにおいて、所要通信品質又は対象メディアによって、削減するシンボル数を選択し、符号化ブロックを構成する全ての信号が揃う前に時間デインターリーブを行い、誤り訂正復号を行う構成とする。なお、所要通信品質とは受信装置が要求する通信品質のことであり、例えば最大伝送速度、伝送速度の安定性（ばらつき）、遅延時間、必要な伝送帯域などのことを指す。またメディアとは文字、静止画、動画、音声など、様々な形態の情報を指す。
【００７５】
通信において、音声、動画、ストリーム等、許容遅延が小さく所要の伝送帯域の確保が必要なリアルタイム通信と、許容遅延がない又は制限が緩い非リアルタイム通信とに大別できる。第２の実施形態では、リアルタイム通信の場合は、受信装置３ｂのデマッピング部３０６ｂにおいて、誤り訂正復号に用いるシンボル数を削減し、符号化ブロックを構成する全ての信号が揃う前に時間デインターリーブを行い、誤り訂正復号を行う。この場合、予め所要通信品質又はメディアに対応したテーブルを受信装置３ｂに設け、削減するシンボル数を選択するような構成とする。また、非リアルタイム通信の場合には、誤り訂正復号に用いるシンボル数を削減しないようにする構成としても良い。
【００７６】
このような構成によって、送信装置１が送信した符号化ブロックを構成する一部の信号を除いた信号で誤り訂正復号を行うようにするため、時間デインターリーブにかかる時間を削減でき、所要通信品質又はメディアに応じて効率性の良い受信処理を行うことができる。
【００７７】
＜第３の実施形態＞
ＯＦＤＭにおいて、ガードインターバルを超える遅延波が到来する場合、前のシンボルが高速フーリエ変換区間に入り込むことにより生じるシンボル間干渉（ＩＳＩ：Inter Symbol Interference）や高速フーリエ変換区間にシンボルの切れ目、つまり信号の不連続区間が入ることによって生じるキャリア間干渉（ＩＣＩ：Inter Carrier Interference）が生じるため、伝送特性の劣化の原因となる。
【００７８】
第３の実施形態による通信システムは、複数ユーザの信号が割当てられたＯＦＤＭＡ信号（マルチキャリア変調した信号）を送信する送信装置１と、送信装置１が送信した信号を受信する受信装置５とから構成される。第３の実施形態では、シンボル間干渉やキャリア間干渉を抑制するための干渉キャンセラを効率よく適用する受信装置５について説明する。干渉キャンセラは、信号の仮判定期間による相互干渉の除去（仮判定した結果から干渉レプリカ（複製）を作り受信信号から差し引く動作）を行うことである。尚、送信装置１は、第１及び第２の実施形態の送信装置と同じ構成であるため、説明を省略する。
【００７９】
第３の実施形態に係る受信装置５は、図５に示すように、無線受信部５０１、干渉除去部５０２、ＧＩ除去部５０３、ＦＴＴ部５０４、チャネル推定部５０５、伝搬路補償部５０６、デマッピング部５０７、復調部５０８、復号部５０９、レプリカ生成部５１０及び受信アンテナ５１１を備えている。
【００８０】
無線受信部５０１は、受信アンテナ５１１を介して送信装置１から送信された信号を受信すると、信号検出処理等のデジタル信号処理が可能な周波数帯へダウンコンバート（無線周波数変換）し、さらにスプリアスを除去するフィルタリング処理を行い、フィルタリング処理した信号をアナログ信号からデジタル信号に変換（アナログ・デジタル変換）を行って、干渉除去部５０２に出力する。
【００８１】
干渉除去部５０２は、レプリカ生成部５１０で生成された干渉信号のレプリカである干渉レプリカを減算する。
【００８２】
ＧＩ除去部５０３は、干渉除去部５０２による干渉除去された受信信号からガードインターバル（ＧＩ）を除去する。
【００８３】
ＦＦＴ部５０４は、ＧＩ除去部５０３によりガードインターバルが除去された信号を時間領域信号から周波数領域信号に変換するフーリエ変換の処理（時間周波数変換）を行う。
【００８４】
チャネル推定部５０５は、送信装置１と受信装置５との間におけるフェージングなどによる振幅と位相の変動を推定するチャネル推定を行い、チャネル推定結果であるチャネル推定値（周波数応答推定値及びインパルス応答推定値）を算出する。さらに、周波数応答推定値を伝搬路補償部３０５に出力し、インパルス応答推定値をレプリカ生成部５１０に出力する。
【００８５】
伝搬路補償部５０６は、チャネル推定部３０４によるチャネル推定値（周波数応答推定値）を用いてフェージングによる伝搬路歪を補正する重み係数を算出し、この重み係数をＦＦＴ部５０４からの周波数領域信号に乗算して伝搬路補償を行う。
【００８６】
デマッピング部５０７は、伝搬路補償部５０６が出力する信号に対して、削減するシンボル数に関して時間デインターリーブを行い、復調部５０８に出力する。また、シンボル数を示す情報を復号部５０９に通知する。尚、デマッピング部５０７の処理に関しては、後述する。
【００８７】
復調部５０８は、デマッピング部５０７の出力を復調する。
【００８８】
復号部５０９は、デマッピング部５０７で削減したシンボルに関するビットのデパンクチャリングを行い、誤り訂正復号を行い、符号化ビットＬＬＲ（対数尤度比）（又はビット判定値）を求める。復号結果に誤りがない場合は、復号部５０９で求めた送信ビットを出力して受信処理を終了する。一方、復号結果に誤りがある場合は、復号後の符号化ビットＬＬＲをレプリカ生成部５１０に出力して繰返し処理に移行する。
【００８９】
レプリカ生成部５１０は、繰返し処理を行うため、符号化ビットＬＬＲ及びインパルス応答推定値を用いて、干渉成分のレプリカ（干渉レプリカ）を生成する。干渉成分として、シンボル間干渉、キャリア間干渉などがあり、各干渉成分に対して、シンボル間干渉ＩＳＩ及びキャリア間干渉ＩＣＩの干渉レプリカが生成される。生成された干渉レプリカは、干渉除去部５０２へ送られる。
【００９０】
干渉除去部５０２では、無線受信部５０１から受信した信号から干渉レプリカを減算し、干渉除去を行う。
【００９１】
干渉除去後の信号に対して、ＧＩ除去部５０３から伝搬路補償部５０６において、上述した初めの処理（初回処理）と同様の処理（繰返し処理）を行う。
【００９２】
繰返し処理におけるデマッピング部５０７において、初回処理を行っている間に受信された信号を用いて時間デインターリーブが行われ、続いて、復調部５０８及び復号部５０９のそれぞれにおいて、上述の処理が行われる。
【００９３】
復号部５０９において、復号結果に誤りが検出された場合は、再度繰返し処理を行う。
【００９４】
次に、デマッピング部５０７における処理を説明する。シンボル間干渉ＩＳＩやキャリア間干渉ＩＣＩを抑制するための干渉キャンセラを適用する場合、一度も復号の処理が行われていない初回処理と、少なくとも一度の復号の処理が行われた繰返し処理とでは、デマッピング部５０７における処理が異なる。
【００９５】
繰り返し処理で正しく復号できればよいとした場合、初回処理では、ある程度の干渉レプリカが生成できれば良く、必ずしも正確な復号結果が得られる必要はない。このため、第３の実施形態では、削減するシンボル数は、予め設定されているものと仮定する。ある程度の干渉レプリカが生成されるためには、シンボルを削減することによって、復号時に符号化率が１かそれ以下となっていればよい。なお、シンボルの削減により符号化率が１となった場合は、復号する必要はない。また、初回処理の精度は繰り返し処理の性能に影響するため、削減するシンボル数は、シンボル削減後の符号化率や平均受信SNRに基づいて決めれば良い。
【００９６】
初回処理におけるデマッピング部５０７において、予め決められたシンボル数を含めずに時間デインターリーブを行う。一方、繰返し処理において、デマッピング部５０７は、初回処理を行っている間に受信された信号を用いて時間デインターリーブを行い、該時間デインターリーブに用いたシンボル数を示す情報を復号部５０９に通知する。尚、繰返し処理では、全ての信号が受信されるまで待って時間デインターリーブを行うようにしても良い。
【００９７】
次に、受信装置５の受信方法を、図６のフローチャートを参照して説明する。
【００９８】
受信装置５の無線受信部５０１が、受信アンテナ５１１を介して送信装置１から送信された信号を受信すると、信号検出処理等のデジタル信号処理が可能な周波数帯へダウンコンバート（無線周波数変換）（ステップＳ６００）し、さらにスプリアスを除去するフィルタリング処理を行い、フィルタリング処理した信号をアナログ信号からデジタル信号に変換（アナログ・デジタル変換）を行う（ステップＳ６０５）。
【００９９】
干渉除去部５０２は、レプリカ生成部５１０で生成された干渉信号のレプリカである干渉レプリカを減算して干渉除去を行う（ステップＳ６１０）。尚、一度も誤り訂正復号が行われていない初回処理の場合、干渉レプリカはゼロ（０）になるので、干渉除去は行われない。
【０１００】
ＧＩ除去部５０３は、遅延波による歪を回避するために送信装置１で付加されたガードインターバル（ＧＩ）を無線受信部５０１からの受信信号から除去する（ステップ６２０）。
【０１０１】
ＦＦＴ部５０４は、ＧＩ除去部５０３によりガードインターバルが除去された信号を時間領域信号から周波数領域信号に変換するフーリエ変換の処理（時間周波数変換）を行う（ステップ６３０）。
【０１０２】
チャネル推定部５０５は、送信装置１と受信装置５との間におけるフェージングなどによる振幅と位相の変動を推定するチャネル推定を行い、チャネル推定結果であるチャネル推定値（周波数応答推定値及びインパルス応答推定値）を算出する（ステップ６４０）。
【０１０３】
デマッピング部５０７は、伝搬路補償部５０６が出力する信号に対して、予め設定されたシンボル数に関して、時間デインターリーブを行い（ステップ６６０）、復調部５０８に出力する。また、シンボル数を示す情報は、復号部５０９に通知する。
【０１０４】
復調部５０８は、デマッピング部５０７の出力を復調（ステップ６７０）し、符号化ビットＬＬＲ（対数尤度比）を求める。
【０１０５】
復号部５０９は、デマッピング部５０７で削減したシンボルに関するビットのデパンクチャリングを行い、誤り訂正復号を行い、符号化ビットＬＬＲ（又はビット判定値）を求める。（ステップ６８０）。
【０１０６】
さらに、復号結果に誤りが検出されないか、又は規定の回数の復号を行っている場合は（ステップ６９０、Ｙ）、検出した送信ビットを出力して受信終了する。
【０１０７】
一方、復号結果に誤りが検出され、規定の回数の復号を行っていない場合は（ステップ６９０、Ｎ）、ステップ７００に進む。
【０１０８】
レプリカ生成部５１０は、誤り訂正復号によって得られる符号化ビットＬＬＲ及びインパルス応答推定値を用いて干渉レプリカを生成する（ステップ７００）。続いて、ステップ６１０に戻り、ステップ６１０から６９０までの処理が行われる。
【０１０９】
このような構成によって、送信装置１が送信した符号化ブロックを構成する一部の信号を規定のシンボル数で誤り訂正復号を行うようにするため、時間デインターリーブにかかる時間を削減でき、シンボル間干渉ＩＳＩやキャリア間干渉ＩＣＩを抑制するための干渉キャンセラを効率よく適用できる受信処理を行うことができる。
【０１１０】
＜第４の実施形態＞
第１乃至第３の実施形態では、アンテナ数が１つ（シングルアンテナ）である場合を説明したが、第４の実施形態では、複数の送受信アンテナを用いてＭＩＭＯ（Ｍｕｌｔｉ−Ｉｎｐｕｔ  Ｍｕｌｔｉ−Ｏｕｔｐｕｔ）通信を行う場合について説明する。以下、送信アンテナ本数をＴ本（Ｔは、任意の整数）、受信アンテナ本数をＲ本（Ｒは任意の整数）とし、各アンテナからはそれぞれ異なるデータストリームを送信するものと仮定する。
【０１１１】
第４の実施形態による通信システムは、ＭＩＭＯ通信を行う送信装置７と、受信装置８とから構成される。ＭＩＭＯ伝送では、各送信アンテナで送信された信号が空間多重されて受信されるためストリーム間干渉が生じる。従って、受信装置８では、ＭＩＭＯ分離検出を行う必要がある。ＭＩＭＯ分離検出には、ＺＲ（Zero Forcing）、ＭＭＳＥ(Maximum Mean Square Error：最小平均２乗誤差）等の線形検出や、ＭＬＤ（Maximum Likelihood Detection：最尤検出）、干渉キャンセラ等の非線形検出が挙げられる。さらに、干渉キャンセラには、並列型干渉キャンセラＰＩＣ（Parallel Interference Canceller）や逐次型干渉キャンセラＳＩＣ（Successive Interference Canceller）がある。線形検出やＭＬＤについては第１の実施形態を適用でき、並列型干渉キャンセラＰＩＣについては、第２の実施形態を適用できるため、第４の実施形態では、逐次型干渉キャンセラＳＩＣに適合した例を説明する。
【０１１２】
図７は、送信装置７が複数のアンテナを使用し、ＭＩＭＯ送信を行う状況の一例を示す図である。
【０１１３】
送信装置７は、符号化部７００−１〜７００−Ｔ、変調部７０２−１〜７０２−Ｔ、パイロット信号生成部７０３、マッピング部７０４−１〜７０４−Ｔ、ＩＦＦＴ部７０５−１〜７０５−Ｔ、ＧＩ挿入部７０６−１〜７０６−Ｔ、無線送信部７０７−１〜７０７−Ｔ及び送信アンテナ７０８−１〜７０８−Ｔを備えている。
【０１１４】
符号化部７００−１〜７００−Ｔにおいて、送信ビットが誤り訂正符号化され、符号化ビットが生成される。
【０１１５】
符号化部７００−１〜７００−Ｔで生成された符号化ビットは、変調部７０２−１〜７０２−Ｔにおいて、ＢＰＳＫ、ＱＰＳＫ、１６ＱＡＭ、６４ＱＡＭ等の変調シンボルにマッピングされる。
【０１１６】
パイロット信号生成部７０３は、受信装置８において伝搬路を推定できるパイロットシンボル（パイロット信号）を生成する。
【０１１７】
マッピング部７０４−１〜７０４−Ｔでは、変調シンボルを時間方向に分散し（時間インターリーブを行い）配置し、パイロットシンボル（パイロット信号）を各送受信アンテナ間でチャネル推定できるように配置する。各送信アンテナに対応する各データストリームにおいて、時間デインターリーブのパターンを変えるような構成としても良い。また、チャネル推定を実行するためには、例えば、各送信アンテナ間でパイロット信号を直交すればよい。
【０１１８】
ＩＦＦＴ部７０５−１〜７０５−Ｔでは、変調シンボル及びパイロット信号に対し、ＩＦＦＴ処理を行うことで、シンボルを周波数領域の信号から時間領域の信号に変換する。
【０１１９】
ＧＩ挿入部７０６−１〜７０６−Ｔでは、ＩＦＦＴ部７０５−１〜７０５−Ｔが変換した時間領域の信号にガードインターバル（ＧＩ）を挿入する。
【０１２０】
無線送信部７０７−１〜７０７−Ｔは、ＧＩ挿入部７０６−１〜７０６−Ｔが出力するＯＦＤＭシンボルをアナログ信号に変換し（デジタル・アナログ変換）、アナログ信号に変換された信号に対して帯域制限を行うフィルタリング処理を行い、さらにフィルタリング処理された信号を送信可能な周波数帯域にアップコンバート（無線周波数変換）し、送信アンテナ７０８−１〜７０８−Ｔを介して送信する。
【０１２１】
次に、第４の実施形態に係る受信装置８について説明する。受信装置８は、図８に示すように、受信アンテナ８００−１〜８００−Ｒ、無線受信部８０１、ＧＩ除去部８０２−１〜８０２−Ｔ、ＦＴＴ部８０３−１〜８０３〜Ｔ、チャネル推定部８０４、伝搬路補償部８０５−１〜８０５−Ｔ、デマッピング部８０６−１〜８０６−Ｔ、復調部８０７−１〜８０７−Ｔ、復号部８０８−１〜８０８−Ｔ、レプリカ生成部８０９−１〜８０９−(Ｔ−１)、干渉除去部８１０−１〜８１０−(Ｔ−１)を備える。
【０１２２】
無線受信部８０１は、Ｒ本の受信アンテナ８００−１〜８００−Ｒを介して送信装置７から送信された信号を受信すると、信号検出処理等のデジタル信号処理が可能な周波数帯へダウンコンバート（無線周波数変換）し、さらにスプリアスを除去するフィルタリング処理を行い、フィルタリング処理した信号をアナログ信号からデジタル信号に変換（アナログ・デジタル変換）を行って、ＧＩ除去部８０２−１に出力する。
【０１２３】
ＧＩ除去部８０２−１は、遅延波による歪を回避するために送信装置７で付加されたガードインターバル（ＧＩ）を無線受信部８０１から伝送された受信信号から除去する。
【０１２４】
ＦＴＴ部８０３−１は、ＧＩ除去部８０２−１によりガードインターバルが除去された信号を時間領域信号から周波数領域信号に変換するフーリエ変換の処理（時間周波数変換）を行う。
【０１２５】
チャネル推定部８０４は、送信装置７の送信アンテナと受信装置８の受信アンテナ間におけるフェージングなどによる振幅と位相の変動を推定するチャネル推定を行い、チャネル推定結果であるチャネル推定値（周波数応答推定値及びインパルス応答推定値）を算出する。さらに、周波数応答推定値を伝搬路補償部８０５−１〜８０５−Ｔに出力し、インパルス応答推定値をレプリカ生成部８０９−１〜８０９−(Ｔ−１)に出力する。
【０１２６】
伝搬路補償部８０５−１は、入力されるＲ個の信号に対しＭＭＳＥ等のＭＩＭＯ分離を行う。逐次型干渉キャンセラＳＩＣでは、データストリームを逐次的に検出していく。逐次型干渉キャンセラＳＩＣは検出する順序が受信特性に影響を与えるが、ここでは受信品質の良い順に検出するものとする。
【０１２７】
デマッピング部８０６−１は、伝搬路補償部８０５−１におけるＭＩＭＯ分離後の受信品質が最も良いデータストリーム（第１のデータストリームと称す）について、時間デインターリーブを行い、復調部８０７−１に出力する。尚、該時間デインターリーブは、ＭＩＭＯ分離後の受信品質に基づいて、シンボル数を削減して行われる。
【０１２８】
復調部８０７−１は、デマッピング部８０６−１の出力を復調する。
【０１２９】
復号部８０８−１は、復調部８０７−１の出力のデパンクチャリングを行い、誤り訂正復号を行って第１のデータストリームの送信ビット及び符号化ビットＬＬＲを求める。復号結果に誤りがない場合は、復号部５０９で求めた送信ビットを出力して受信処理を終了する。一方、復号結果に誤りがある場合は、第１のデータストリームの符号化ビットＬＬＲ（対数尤度比）をレプリカ生成部８０９−１に出力して繰返し処理に移行する。
【０１３０】
レプリカ生成部８０９−１は、第１のデータストリームの符号化ビットＬＬＲ及びインパルス応答推定値を用いて第１のデータストリームの干渉レプリカを生成する。
【０１３１】
干渉除去部８１０−１は、受信信号から、第１のデータストリームの干渉レプリカを減算して干渉除去を行う。これによって、第１のデータストリームによるストリーム間干渉（Multi-Stream Interference：ＭＳＩ）が除去される。
【０１３２】
続いて、第２のデータストリームも同様に行われる。干渉除去部８１０−１の出力はＧＩ除去部８０２−２に入力され、順次、ＦＦＴ部８０３−２、伝搬路補償部８０５−２でそれぞれの処理が行われる。伝搬路補償部８０５−２では、第２のデータストリームのＭＩＭＯ分離検出が行われる。
【０１３３】
第２のデータストリームにおけるデマッピング部８０６−２では、第２のデータストリームに関して、この時までに受信されているシンボルに対し時間デインターリーブを行う。続いて、復調部８０７−２で復調処理が行われる。
【０１３４】
第２のデータストリームにおける復号部８０８−２では、復号部８０８−１と同様に、デパンクチャリング及び誤り訂正復号を行って第２のデータストリームの送信ビット及び符号化ビットＬＬＲを求める。
【０１３５】
第２のデータストリームにおけるレプリカ生成部８０９−２では、第２のデータストリームの干渉レプリカを生成する。
【０１３６】
続いて、第２のデータストリームにおける干渉除去部（図示せず）では、干渉除去部８１０−１の出力から第２のデータストリームの干渉レプリカを減算して、第２のデータストリームのストリーム間干渉ＭＳＩの除去を行う。
【０１３７】
続いて、第３のデータストリーム以降も同様な処理を行い、第１〜第Ｔのデータストリームの送信ビットを算出する。尚、上記の処理において、１つのデータストリーム毎にＭＩＭＯ分離検出を行ったが、複数のデータストリーム毎にＭＩＭＯ分離検出を行っても良い。
【０１３８】
次に、受信装置８における受信方法を、図９のフローチャートを参照して説明する。
【０１３９】
受信装置８の無線受信部８０１が、受信アンテナ８００−１〜８００−Ｒを介して送信装置７から送信された信号を受信すると、信号検出処理等のデジタル信号処理が可能な周波数帯へダウンコンバート（無線周波数変換）（ステップＳ９００）し、さらにスプリアスを除去するフィルタリング処理を行い、フィルタリング処理した信号をアナログ信号からデジタル信号に変換（アナログ・デジタル変換）を行う（ステップＳ９１０）。
【０１４０】
ステップＳ９０５のアナログ・デジタル変換後、ｎ番目のデータストリームを表す整数ｎ（レジスタ）を１にして初期化する（ステップ９２０）。
【０１４１】
次に、ＧＩ除去部８０２−１は、遅延波による歪を回避するために送信装置７で付加されたガードインターバル（ＧＩ）を無線受信部８０１から伝送されたＲ本の受信信号から除去する（ステップ９３０）。
【０１４２】
ＦＴＴ部８０３−１は、ＧＩ除去部８０２−１によりガードインターバルが除去された信号を時間領域信号から周波数領域信号に変換するフーリエ変換の処理（時間周波数変換）を行う（ステップ９４０）。
【０１４３】
チャネル推定部８０４は、送信装置７の送信アンテナと受信装置８の受信アンテナ間におけるフェージングなどによる振幅と位相の変動を推定するチャネル推定を行い、チャネル推定結果であるチャネル推定値（周波数応答推定値及びインパルス応答推定値）を算出し、周波数応答推定値を伝搬路補償部８０５−１に出力し、インパルス応答推定値をレプリカ生成部８０９−１〜８０９−(Ｔ−１)に出力する（ステップ９５０）。
【０１４４】
伝搬路補償部８０５−１は、周波数応答推定値を用いて、ＦＦＴ部８０３−１の出力信号に対しＭＭＳＥ等のＭＩＭＯ分離を行う（ステップ９６０）。
【０１４５】
デマッピング部８０６−１は、伝搬路補償部８０５−１におけるＭＩＭＯ分離後の受信品質に基づいてデータストリーム（第ｎのデータストリーム、ｎは正の整数）について、時間デインターリーブを行い、復調部８０７−１に出力する（ステップ９７０）。
【０１４６】
復調部８０７−１は、デマッピング部８０６−１の出力を復調する（ステップ９８０）。続いて、復号部８０８−１は、復調部８０７−１の出力のデパンクチャリングを行い、誤り訂正復号を行って第１のデータストリームの送信ビット及び符号化ビットＬＬＲを求め（ステップ９９０）、第１のデータストリームの符号化ビットＬＬＲ（対数尤度比）をレプリカ生成部８０９−１に出力する。
【０１４７】
レプリカ生成部８０９−１は、第１のデータストリームの符号化ビットＬＬＲ及びインパルス応答推定値を用いて第１のデータストリームの干渉レプリカを生成する（ステップ１０００）。
【０１４８】
全てのデータストリーム数Ｔとｎ番目のデータストリームを表す整数ｎとを比較する
（ステップ１０１０）。全てのデータストリーム数Ｔとｎ番目のデータストリームを表す整数ｎが等しい場合、全てのデータストリームの検出が終わり（ステップ１０１０、Ｙ）処理を終了する。一方、全てのデータストリーム数Ｔとｎ番目のデータストリームを表す整数ｎが等しくない場合、検出するべきデータストリームが存在するため、ステップ１０２０へ進む。
【０１４９】
ｎ番目のデータストリームを表す整数ｎに１を可算（インクリメント）して、整数ｎを更新する（ステップ１０２０）。
【０１５０】
干渉除去部８１０−１は、受信信号から、第(ｎ−１)のデータストリームの干渉レプリカを減算して干渉除去を行う（ステップ１０３０）。これによって、第(ｎ−１)のデータストリームによるストリーム間干渉ＭＳＩが除去される。
【０１５１】
ステップ９３０に戻り、全てのデータストリーム数Ｔとｎ番目のデータストリームを表す整数ｎとが等しくなるまで、つまり、全てのデータストリームの検出が完了するまで、上記の処理を繰返し行う。
【０１５２】
尚、本発明に係る受信装置３及び送信装置１で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５３】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における移動局装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１５４】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１５５】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１５６】
１、７  送信装置
３、３ｂ、５、８  受信装置
１０１  符号化部
１０２  変調部
１０３  パイロット信号生成部
１０４  マッピング部
１０５  ＩＦＦＴ部
１０６  ＧＩ挿入部
１０７  無線送信部
３０１、５０１  無線受信部
３０２、５０３  ＧＩ除去部
３０３、５０４  ＦＦＴ部
３０４、５０５  チャネル推定部
３０５、５０６  伝搬路補償部
３０６、５０７  デマッピング部
３０７、５０８  復調部
３０８、５０９  復号部
５０２  干渉除去部
５１０  レプリカ生成部
【図１】
2013042253.tif 000003
【図２】
2013042253.tif 000004
【図３】
2013042253.tif 000005
【図４】
2013042253.tif 000006
【図５】
2013042253.tif 000007
【図６】
2013042253.tif 000008
【図７】
2013042253.tif 000009
【図８】
2013042253.tif 000010
【図９】
2013042253.tif 000011